【手続補正書】
【提出日】平成17年10月13日(2005.10.13)
【手続補正１】
【補正対象書類名】明細書
【補正対象項目名】特許請求の範囲
【補正方法】変更
【補正の内容】
【特許請求の範囲】
【請求項１】  記録ヘッドの下流側に設けられ該記録ヘッド部分を通過した記録紙をその裏面側から支える下ガイド板と、該下ガイド板に向けて記録紙を付勢する付勢手段を少なくとも記録紙搬送方向と直交方向に所定間隔で複数備えた構成の記録紙支持装置であって、
記録ヘッドとの対向位置に設けられるプラテンは、ベース板と、該ベース板の上面に記録紙の搬送方向と直交する方向に一定間隔で平行に配設された複数のリブとを備え、該リブによって記録ヘッドのヘッド面と当該リブ上を通る記録紙との間隔を規定すると共にコックリングによる記録紙の撓みを各リブ間に逃がすように構成されて成り、
該プラテンの下流側に前記下ガイド板が隣設され、
前記付勢手段は隣り合う前記リブのほぼ中央に相当する位置に設けられており、
隣り合う前記付勢手段同士の間に補助リブを設けたことを特徴とする記録紙支持装置。
【請求項２】  請求項１において、記録実行中の記録紙の前記記録ヘッド部分を通過した部分が前記付勢手段により前記下ガイド板に付勢されることで、当該記録実行中の記録紙の前記プラテン上にある部分が前記プラテンのリブに押圧されるように、前記プラテンに対して前記下ガイド板が段差を設けて配設されていることを特徴とする記録紙支持装置。
【請求項３】  請求項１又は２において、前記付勢手段は、記録紙搬送方向にも所定間隔で複数備え、もって当該付勢手段は縦横に所定間隔で配列されていることを特徴とする記録紙支持装置。
【請求項４】  請求項１〜３のいずれか１項において、前記補助リブは、隣り合う前記付勢手段同士のほぼ中央位置に設けられていることを特徴とする記録紙支持装置。
【請求項５】  請求項４において、前記補助リブは、記録紙搬送方向と直交する方向に一列に配列されていることを特徴とする記録紙支持装置。
【請求項６】  請求項１〜５のいずれか１項において、前記プラテンに設けられたリブは、その上面が記録紙搬送方向の上流側から下流側に向かってリブ上り傾斜面、リブ頂面、及びリブ下り傾斜面にて形成され、
前記ベース板も、その上面が記録紙搬送方向の上流側から下流側に向かってベース上り傾斜面、ベース頂面、及びベース下り傾斜面にて形成され、
前記リブ上り傾斜面と前記ベース上り傾斜面、前記リブ頂面と前記ベース頂面、及び前記リブ下り傾斜面と前記ベース下り傾斜面とがそれぞれ対応する位置関係にあり、
前記リブ頂面は、前記ベース頂面より０．１ｍｍ〜０．５ｍｍ高く形成され、前記リブ下り傾斜面と前記ベース下り傾斜面は、下流側に向かって高低差が漸次拡大するように形成されている、ことを特徴とする記録紙支持装置。
【請求項７】  請求項６において、複数のリブのピッチは、２１ｍｍ〜２５ｍｍに形成されていることを特徴とする記録紙支持装置。
【請求項８】  請求項６または７において、リブの頂面は、下流側が記録ヘッドのヘッド面と平行な水平面に形成され、上流側が該水平面をトップ高さとする僅かな傾斜面に形成されていることを特徴とする記録紙支持装置。
【請求項９】  請求項７において、リブの頂面は、下流側が記録ヘッドのヘッド面と平行な水平面に形成され、上流側が該水平面をトップ高さとする僅かな傾斜面に形成され、
隣り合うリブの間であって前記ベース上り傾斜面及び前記ベース頂面の部分にサブリブが設けられ、該サブリブは、そのサブリブ上り傾斜面が前記リブ上り傾斜面と同位置、同傾斜角度及び同高さに形成されていることを特徴とする記録紙支持装置。
【請求項１０】  請求項９において、サブリブ頂面は、下流側に向かって前記リブ頂面との高低差が漸次拡大するように形成されていることを特徴とする記録紙支持装置。
【請求項１１】  請求項１０において、サブリブ頂面は、その下流端の位置及び高さが前記ベース頂面の下流端の位置及び高さと一致するように形成されていることを特徴とする記録紙支持装置。
【請求項１２】  給紙部、記録部及び排紙部が上、中及び下の位置関係に配置され、前記給紙部から前記記録部を経て前記排紙部に向かう用紙搬送経路が斜め上方の奥側から斜め下方の手前側にほぼ真っ直ぐに形成されている大型記録装置であって、
前記記録部は、記録ヘッドと対向する側に位置する記録紙支持装置として、請求項６〜１１のいずれか１項に記載された記録紙支持装置を備えることを特徴とする大型記録装置。
【手続補正２】
【補正対象書類名】明細書
【補正対象項目名】０００８
【補正方法】変更
【補正の内容】
【０００８】
また、本願請求項１に記載の発明は、記録ヘッドとの対向位置に設けられるプラテンは、ベース板と、該ベース板の上面に記録紙の搬送方向と直交する方向に一定間隔で平行に配設された複数のリブとを備え、該リブによって記録ヘッドのヘッド面と当該リブ上を通る記録紙との間隔を規定すると共にコックリングによる記録紙の撓みを各リブ間に逃がすように構成されて成り、該プラテンの下流側に前記下ガイド板が隣設され、前記付勢手段は隣り合う前記リブのほぼ中央に相当する位置に設けられていることを特徴とする。
【手続補正３】
【補正対象書類名】明細書
【補正対象項目名】０００９
【補正方法】変更
【補正の内容】
【０００９】
本発明によれば、吸引口等から成る前記付勢手段は、前記プラテンに設けられている前記リブ間のほぼ中央に相当する位置に設けられているので、前記プラテンのリブによって、規則的に生成されたコックリングの谷部分を当該付勢手段によって下ガイド板に引き付けることになると共に、コックリングの山部分は当該補助リブによって拘束されてその山状態が維持される。したがって、生成されたコックリングの規則性を一層効果的に維持することができる。  
また、本願請求項２に記載の発明は、請求項１において、記録実行中の記録紙の前記記録ヘッド部分を通過した部分が前記付勢手段により前記下ガイド板に付勢されることで、当該記録実行中の記録紙の前記プラテン上にある部分が前記プラテンのリブに押圧されるように、前記プラテンに対して前記下ガイド板が段差を設けて配設されていることを特徴とする。
【手続補正４】
【補正対象書類名】明細書
【補正対象項目名】００１０
【補正方法】変更
【補正の内容】
【００１０】
また、本願請求項３に記載の発明は、請求項１又は２に記載の記録紙支持装置において、前記付勢手段は、記録紙搬送方向にも所定間隔で複数備え、もって当該付勢手段は縦横に所定間隔で配列されていることを特徴とする。これにより、記録ヘッドより下流側の位置において該記録紙が浮き上がるのを確実に防止することができる。
【手続補正５】
【補正対象書類名】明細書
【補正対象項目名】００１１
【補正方法】変更
【補正の内容】
【００１１】
また、本願請求項４に記載の発明は、請求項１〜３のいずれか１項に記載の記録紙支持装置において、前記補助リブは、隣り合う前記付勢手段同士のほぼ中央位置に設けられていることを特徴とする。これにより、補助リブの位置が前記プラテン上の前記リブの位置と一致（記録紙搬送方向と直交する方向の配置）することになり、生成されたコックリングの規則性を更に一層効果的に維持することができる。
【手続補正６】
【補正対象書類名】明細書
【補正対象項目名】００１３
【補正方法】変更
【補正の内容】
【００１３】
また、本願請求項６に記載の発明は、請求項１〜５のいずれか１項に記載された記録紙支持装置において、前記プラテンに設けられたリブは、その上面が記録紙搬送方向の上流側から下流側に向かってリブ上り傾斜面、リブ頂面、及びリブ下り傾斜面にて形成され、前記ベース板も、その上面が記録紙搬送方向の上流側から下流側に向かってベース上り傾斜面、ベース頂面、及びベース下り傾斜面にて形成され、前記リブ上り傾斜面と前記ベース上り傾斜面、前記リブ頂面と前記ベース頂面、及び前記リブ下り傾斜面と前記ベース下り傾斜面とがそれぞれ対応する位置関係にあり、前記リブ頂面は、前記ベース頂面より０．１ｍｍ〜０．５ｍｍ高く形成され、前記リブ下り傾斜面と前記ベース下り傾斜面は、下流側に向かって高低差が漸次拡大するように形成されている、ことを特徴とする。